(57)【特許請求の範囲】
【請求項１】
内燃機関用の噴射装置（１）であって、
前記内燃機関が燃焼室と少なくとも１つの吸気管とを有しており、前記噴射装置（１）が、燃料を前記燃焼室内に直接噴射するための第１の噴射弁（２０）と、水または別の燃料を選択的にまたは同時に前記吸気管内に噴射するための第２の噴射弁（３０）と、第３の燃料を前記吸気管内または別の吸気管内に噴射するための第３の噴射弁（４０）とを有しており、
前記燃料がガソリン燃料および／またはフレックス燃料である時、前記別の燃料がエタノール燃料および／またはメタノール燃料であり、前記第３の燃料がＣＮＧ燃料またはＬＰＧ燃料またはアルコール燃料、
または、
前記燃料がＣＮＧ燃料またはＬＰＧ燃料またはアルコール燃料である時、前記別の燃料がエタノール燃料および／またはメタノール燃料であり、前記第３の燃料がガソリン燃料および／またはフレックス燃料、とすることが可能であり、
前記内燃機関の部分負荷段階において、前記第２の噴射弁（３０）が前記別の燃料を噴射し、
前記内燃機関の全負荷段階において、前記第１の噴射弁（２０）が燃料を噴射すると共に前記第２の噴射弁（３０）が水を噴射し、
前記内燃機関の冷間始動段階および／または暖気運転段階において、前記第２の噴射弁（３０）が前記別の燃料を噴射する
ことを特徴とする噴射装置（１）。
【請求項２】
前記第１の噴射弁（２０）がメイン噴射弁であって、
前記第２および前記第３の噴射弁（３０，４０）がサブ噴射弁であり、前記メイン噴射弁が、前記サブ噴射弁よりも多量の燃料を噴射し、かつ／またはより長い運転時間を有しているか、または、
前記第１および前記第２の噴射弁（２０，３０）がサブ噴射弁であって、前記第３の噴射弁（４０）がメイン噴射弁であり、前記メイン噴射弁が、前記サブ噴射弁よりも多量の燃料を噴射し、かつ／またはより長い運転時間を有している
ことを特徴とする請求項１記載の噴射装置（１）。
【請求項３】
前記燃料がガソリン燃料および／またはフレックス燃料であって、
前記第１の噴射弁（２０）が燃料を噴射するためのメイン噴射弁として構成されていて、前記第２の噴射弁（３０）が選択的に燃料または水を噴射するためのサブ噴射弁として構成されている
ことを特徴とする請求項１または２に記載の噴射装置（１）。
【請求項４】
燃料がガソリン燃料および／またはフレックス燃料であるか、
または燃料がＣＮＧ燃料またはＬＰＧ燃料であって、この場合、前記第１の噴射弁（２０）が燃料を噴射するためのメイン噴射弁として構成されていて、前記第２の噴射弁（３０）が水を噴射するためのサブ噴射弁として構成されていて、前記第３の噴射弁（４０）が燃料を噴射するためのサブ噴射弁として構成されている
ことを特徴とする請求項１記載の噴射装置（１）。
【請求項５】
コントロールユニットが、
内燃機関の負荷および内燃機関の別の運転パラメータに依存して、前記第１の噴射弁（２０）の噴射量、前記第２の噴射弁（３０）の噴射量および／または前記第３の噴射弁（４０）の噴射量を制御する
ことを特徴とする請求項１記載の噴射装置（１）。
【発明の詳細な説明】
【技術分野】
【０００１】
本発明は、請求項１の上位概念部に記載した内燃機関用の噴射装置に関する。
【背景技術】
【０００２】
燃料を吸気管内に噴射するための、または燃料を燃焼室内に直接噴射するための、内燃機関用の噴射装置は一般的に公知である。内燃機関の全負荷時における燃料消費の削減を効率改善によって得るために、かつノッキングの減少を得るために、別の噴射弁を介して水が噴射される。内燃機関の燃費は、水を噴射するための別の噴射弁によって削減できるが、内燃機関の部分負荷時における微粒子排出物の削減は得られない。
【発明の概要】
【発明の効果】
【０００３】
後述されている請求項に記載した、内燃機関用の本発明による噴射装置は、従来技術に対して、全負荷中の内燃機関の運転時における燃料消費の削減も、また部分負荷中の内燃機関の運転時における微粒子排出物の削減も得られる、という利点を有している。内燃機関の運転中の燃料消費の削減は、メインエンジンの効率改善によって得られ、つまり、内燃機関の全負荷時にノッキングを減少させるために吸気管内に水が噴射されることによって得られる。内燃機関は、燃料を噴射するための第１の噴射路と、水を噴射するための第２の噴射路と、燃料（つまり第１の噴射路内にも使用されるのと同じ燃料）を噴射するためのまたは別の燃料を噴射するための第３の噴射路とを有している。部分負荷中の内燃機関の運転時の微粒子排出物の削減は、燃料または別の燃料を噴射するための第３の噴射路が設けられていることによって可能である。本発明による噴射装置は、好適な形式で、最適化された全負荷による内燃機関の燃料消費の削減も、また内燃機関の部分負荷時の微粒子排出物の削減も可能である。燃料消費の削減も、また微粒子排出物の削減も、多くの地域で法律的に要求されているので、そこに大きな需要が存在する。内燃機関は好適な形式で、自動車、好適にはオートモービル用のガソリンエンジンとして構成されている。内燃機関は、好適な形式で１つ以上のシリンダを有しており、この場合、それぞれのシリンダは、少なくとも１つの第１および第２の噴射弁を備えた燃焼室を有している。本発明によれば、噴射装置は、燃焼室内に直接噴射するための第１の噴射弁を有していて、吸気管内に噴射するための少なくとも第２の噴射弁を有しており、この場合、第２の噴射弁は水を噴射するために設けられている。
【０００４】
本発明の好適な実施態様および変化実施例は、従属請求項、並びに図面に関連した説明に記載されている。
【０００５】
好適な変化実施例によれば、第２の噴射弁が、
水または燃料または別の燃料を選択的に噴射するために構成されているか、または
水も燃料または別の燃料も同時に噴射するために構成されている。
本発明による噴射装置は、３つの噴射路、つまり燃料を噴射するための第１の噴射路と、水を噴射するための第２の噴射路と、燃料またはこの燃料とは異なる別の燃料を噴射するための第３の噴射路とを有している。本発明の実施例によれば、３つの噴射路は、噴射装置が燃料を燃焼室内に直接噴射するための第１の噴射弁と、水または燃料（または別の燃料）を選択的に噴射するための第２の噴射弁とを有していることによって、実現される。この場合、第１の噴射路は第１の噴射弁によって実現され、第２の噴射路もまた第３の噴射路も第２の噴射弁によって（しかしながら異なる時点で）実現される、つまり選択的に、水が第２の噴射弁を介して噴射されるか（第１の時点で）、または燃料が第２の噴射弁を介して噴射される（第２の時点で）ことによって実現され、この場合、このような燃料として（第１の噴射弁で使用された）燃料または別の燃料が噴射される。
【０００６】
本発明の選択的な実施例によれば、３つの噴射路は、第２の噴射弁が、一方では水も、また他方では燃料または別の燃料も同時に噴射するために構成されていることによって実現される、つまり第２の噴射路および第３の噴射路は、水・燃料混合物が第２の噴射弁によって噴射されることによって、少なくとも部分的に、同時に第２の噴射弁によって実現される。
【０００７】
本発明の別の好適な実施例によれば、第２の噴射弁は特に個別インジェクタ（シングルインジェクタ）として構成されているか、またはダブルインジェクタ（ツインインジェクタ）として構成されている。
【０００８】
別の好適な変化実施例によれば、噴射装置は、（第１の噴射弁内に使用された）燃料または別の燃料または第３の燃料を吸気管内または別の吸気管内に噴射するための第３の噴射弁を有している。この場合、第１の噴射路は第１の噴射弁によって実現され、第２の噴射路は第２の噴射弁によって実現され、第３の噴射路は第３の噴射弁によって実現される。特にこの場合、一実施例によれば、３つの噴射弁が設けられており、第１の噴射弁を介して燃料が燃焼室内に直接噴射され、第２の噴射弁を介して水（つまり水だけ、燃料は噴射されない）が噴射され、これに対して第３の噴射弁を介して（第１の噴射弁内に使用された）燃料または別の燃料が噴射される。
【０００９】
特にこの場合、別の実施例によれば、３つの噴射弁が設けられており、第１の噴射弁を介して燃料が燃焼室内に直接噴射され、第３の噴射弁を介して第３の燃料が噴射され、これに対して第２の噴射弁を介して、選択的に水および別の燃料、または同時に水も別の燃料も噴射される。
【００１０】
別の好適な変化実施例によれば、第１の噴射弁がメイン噴射弁であって、第２の噴射弁も第３の噴射弁もサブ噴射弁であるか、
または、
第１および第２の噴射弁がサブ噴射弁であり、第３の噴射弁がメイン噴射弁であって、この場合、メイン噴射弁が、サブ噴射弁よりも多量の燃料を噴射し、かつ／またはより長い運転時間を有している。
これによって、好適な形式で、燃料に追加して、別の燃料および第３の燃料を噴射することができ、この場合、メイン噴射弁が、サブ噴射弁よりも多量の燃料を噴射し、かつ／またはより長い運転時間を有している。これによって、好適な形式で、メイン噴射弁およびサブ噴射弁に同じ燃料を使用した場合、メイン噴射弁はより小さく寸法設計することができ、これによって燃料量を相応の負荷状況に、より良好に適合させることができる。メイン噴射弁をより小さく寸法設計することによって、前もって所定の負荷状況において、メイン噴射弁の寸法設計に基づいて、必要な量よりも多量の燃料が噴射され得るときに、微粒子排出物が低下され得る。何故ならば、噴射された燃料量は、相応の負荷状況において要求された燃料量により良好に適合され、インジェクタ固有の設計的な特徴も、改善された噴霧形成のために利用され得るからである。運転方式およびシステム設計、および燃料、別の燃料および／または水の供給、並びに第３の燃料の供給は、セグメント特有の若しくはマーケット特有の要求に合わせることができる。
【００１１】
別の好適な実施例によれば、特に、燃料がガソリン燃料および／またはフレックス燃料であって、第１の噴射弁が燃料を噴射するためのメイン噴射弁として構成されていて、第２の噴射弁が選択的に燃料または水を噴射するためのサブ噴射弁として構成されている。この場合、第１の噴射路は第１の噴射弁によって実現され、第２の噴射路もまた第３の噴射路も、第２の噴射弁によって（しかしながら異なる時点で）実現され、つまり、選択的に水が第２の噴射弁を介して噴射されるか（特に内燃機関が全負荷運転段階または全負荷に近い運転段階にある第１の時点で、特にノッキング減少のために）、または燃料が第２の噴射弁を介して噴射される（特に、内燃機関が部分負荷運転段階にある時点で、特に微粒子削減のために）ことによって実現される。この場合、本発明によれば、好適には、第２の噴射弁の連動制御が遮断弁および水ポンプの制御を介して実現されることが可能である。この場合、第２の噴射弁の設計は、２つの媒体のために行われる必要がある。フレックス燃料として、本発明の枠内で、特に呼称Ｅ０−Ｅ８５，Ｅ２２−Ｅ１００若しくはＭ１５−Ｍ１００による燃料が対象となる。第２の噴射弁は、この実施例によれば特に排出物低下のために冷間始動／暖気運転範囲で使用され得る。
【００１２】
別の好適な実施例によれば、特に、燃料がガソリン燃料および／またはフレックス燃料であるか、
または燃料がＣＮＧ燃料またはＬＰＧ燃料であって、この場合、第１の噴射弁が燃料を噴射するために構成されていて、第２の噴射弁が水を噴射するために構成されていて、第３の噴射弁が燃料を噴射するために構成されている。この場合、本発明によれば好適には、第３の噴射弁の運転および第２の噴射弁の運転が、遮断された制御に従って自律的に実現され、特に第３の噴射弁および第２の噴射弁の固有の設計が可能である。運転方式として特に、第３の噴射弁が部分負荷運転中に微粒子削減のために、および場合によって全負荷運転段階中または全負荷に近い運転段階中に燃料の量を増やすために使用されるのに適しており、これに対して第２の噴射弁はノッキングを減少させるために内燃機関の全負荷運転段階中または全負荷に近い運転段階中に使用されるのに適している。第３の噴射弁は、この実施例によれば、特に冷間始動／暖気運転範囲内で排出物削減のために使用される。
【００１３】
別の好適な実施例によれば特に、燃料がガソリン燃料および／またはフレックス燃料であって、別の燃料がＣＮＧ燃料（ｃｏｍｐｒｅｓｓｅｄ  ｎａｔｕｒａｌ  ｇａｓ：圧縮天然ガス）またはＬＰＧ燃料（ｌｉｑｕｅｆｉｅｄ  ｎａｔｕｒａｌ  ｇａｓ：液化天然ガス）であるか、
または、燃料がＣＮＧ燃料またはＬＰＧ燃料であって、別の燃料がガソリン燃料および／またはフレックス燃料であり、この場合、第１の噴射弁が燃料を噴射するために構成されていて、第２の噴射弁が水を噴射するために構成されていて、第３の噴射弁が別の燃料を噴射するために構成されている。これによって、本発明によれば、二重燃料噴射システムと水噴射との組み合わせが可能である。
【００１４】
別の好適な実施例によれば特に、
燃料がガソリン燃料および／またはフレックス燃料であって、別の燃料がエタノール燃料および／またはメタノール燃料であり、第３の燃料がＣＮＧ燃料またはＬＰＧ燃料またはアルコール燃料であるか、
または、
燃料がＣＮＧ燃料またはＬＰＧ燃料／またはアルコール燃料であって、別の燃料がエタノール燃料および／またはメタノール燃料であり、第３の燃料がガソリン燃料および／またはフレックス燃料であり、
この場合、第１の噴射弁が燃料を噴射するために構成されていて、第３の噴射弁が第３の燃料を噴射するために構成されていて、第２の噴射弁が、選択的に別の燃料または水を噴射するために構成されているか、または
水も前記別の燃料も同時に噴射するために構成されている。これによって、本発明によれば三重燃料／水噴射システムが可能となる。
【００１５】
別の好適な変化実施例によれば、コントロールユニットが、内燃機関の負荷および内燃機関の別の運転パラメータに依存して、第１の噴射弁の噴射量、第２の噴射弁の噴射量および／または第３の噴射弁の噴射量を制御するようになっている。これによって、好適には、噴射された燃料の量および／または噴射された別の燃料の量および／または噴射された第３の燃料の量、および噴射された水の量を、内燃機関の負荷および別の運転パラメータに依存して適合させることができる。
【００１６】
別の好適な変化実施例によれば、燃料、別の燃料および第３の燃料が以下の燃料である、つまり、
ガソリン、または
液化ガス（ＬＰＧ）、または
天然ガス（ＣＮＧ）、または
アルコール、好適にはメタノールおよび／またはエタノール、または
フレックス燃料、特にエタノールとガソリンとの混合物（例えばＥ０−Ｅ８５、Ｅ２２−Ｅ１００）またはメタノールとガソリンとの混合物（Ｍ１５−Ｍ１００）、または
ガソリンおよびフレックス燃料、
である。
これによって好適には、内燃機関を、１つの燃料、２つの異なる燃料または３つの異なる燃料で運転することが可能である。
【図面の簡単な説明】
【００１７】
【図１】本発明の例示的な第１実施例による、内燃機関用の噴射装置の概略図である。
【図２】本発明の例示的な第２実施例による、内燃機関用の噴射装置の概略図である。
【図３】本発明の例示的な第３実施例による、内燃機関用の噴射装置の概略図である。
【発明を実施するための形態】
【００１８】
様々な図面において、同じ部分には、常に同じ符号が付けられていて、従って普通はそれぞれ一度だけ名前を挙げられるか若しくは言及される。
【００１９】
図１乃至図３に示された噴射装置１はそれぞれ、内燃機関の各シリンダのために、第１の噴射弁２０および第２の噴射弁３０を有している。内燃機関は、本発明に従って複数の、例えば２個、３個、４個、５個、６個、８個、１０個または１２個のシリンダを有している。図１乃至図３には、内燃機関の例えばそれぞれ４つのシリンダ５０が略示されているが、これらのシリンダにはそれぞれ個別に異なる符号を付けていない。シリンダ５０のそれぞれは、少なくとも１つの所属の吸気管を備える燃焼室を有している。それぞれ４つのシリンダ５０のそれぞれの吸気管若しくはインテークパイプは、図１乃至３では符号５１，５２，５３若しくは５４で示されており、これらの符号５１乃至５４は符号５０′でまとめられる。それぞれ４つのシリンダ５０のそれぞれ第１の噴射弁２０は、図１乃至図３では符号２１，２２，２３若しくは２４で示されており、これらの符号２１乃至２４は符号２０でまとめられる。それぞれ４つのシリンダ５０のそれぞれ第２の噴射弁３０は、図１乃至３では、符号３１，３２，３３若しくは３４で示されており、これらの符号３１乃至３４は符号３０でまとめられる。それぞれ第１の噴射弁２１，２２，２３，２４に、本発明に従って特に第１の蓄圧器２０′が対応配設されており、この第１の蓄圧器２０′から、蓄えられた媒体（燃料）がそれぞれ第１の噴射弁２１，２２，２３，２４に供給される。相応に、それぞれ第２の噴射弁３１，３２，３３，３４に、本発明に従って特に第２の蓄圧器３０′が対応配設されていて、この第２の蓄圧器３０′から、蓄えられた媒体（水および／または燃料若しくは別の燃料）がそれぞれ第２の噴射弁３１，３２，３３，３４に供給される。
【００２０】
図１には、本発明の例示的な第１実施例による、内燃機関用の噴射装置１が示されている。内燃機関若しくは噴射装置１は、第１実施例に従って、シリンダ毎に、第１および第２の噴射弁２０，３０の他に第３の噴射弁４０を有している。図１に示されたそれぞれ４つのシリンダ５０のそれぞれ第３の噴射弁４０は、図１では符号４１，４２，４３若しくは４４で示されており、これらの符号４１乃至４４は符号４０によってまとめられる。それぞれ第３の噴射弁４１，４２，４３，４４には、本発明に従って特に第３の蓄圧器４０′が対応配設されており、この第３の蓄圧器４０′から、蓄えられた媒体（燃料若しくは別の燃料）がそれぞれ第３の噴射弁４１，４２，４３，４４に供給される。
【００２１】
図１に示された第１実施例によれば、内燃機関若しくは噴射装置１は、燃料（例えばガソリンおよび／またはフレックス燃料またはＣＮＧ燃料またはＬＰＧ燃料）を、第１の噴射弁２０によって各シリンダ５０の燃焼室に直接噴射するための第１の噴射路６を有している。さらに、内燃機関若しくは噴射装置１は、各シリンダ５０のそれぞれの吸気管５０′内に水を噴射するための第２の噴射路７、および燃料（例えばガソリンおよび／またはフレックス燃料またはＣＮＧ燃料またはＬＰＧ燃料）を呼気管に直接噴射するための第３の噴射路８を有している。第１の噴射路６および第３の噴射路８に、燃料ポンプ９によって燃料が供給される。第２の噴射路７に、水ポンプ１０によって水が供給される。
【００２２】
第１の噴射弁２０は、本発明によれば特に、燃料（例えばガソリンおよび／またはフレックス燃料またはＣＮＧ燃料またはＬＰＧ燃料）をシリンダ５０の燃焼室内に直接噴射するためのメイン噴射弁である。第２の噴射弁３０は、本発明によれば特にシリンダ５０の吸気管内に水を噴射するためのサブ噴射弁である。第３の噴射弁４０は、本発明によれば特に、燃料（例えばガソリンおよび／またはフレックス燃料またはＣＮＧ燃料またはＬＰＧ燃料）をシリンダ５０の吸気管内にまたはシリンダ５０の別の吸気管（図示せず）内に噴射するためのサブ噴射弁である。好適な実施例によれば、シリンダ５０は追加的に別の第２の噴射弁を有しており、この場合、この別の第２の噴射弁は、吸気管内にまたは別の吸気管内に水を噴射するための、特に第２の噴射弁を備えたツインインジェクタとしてのサブ噴射弁である。
【００２３】
コントロールユニットは、内燃機関の負荷および内燃機関の別の運転パラメータに依存して、第１の噴射弁２０の噴射量、第２の噴射弁３０の噴射量および／または第３の噴射弁４０の噴射量を制御する。これによって、遮断された制御に従って、水および燃料（例えばガソリンおよび／またはフレックス燃料）の噴射が自律的に運転され得る。内燃機関の部分負荷段階で、好適には第３の噴射弁４０が作動接続される。これによって、微粒子排出物の低減が実現される。内燃機関の全負荷段階で、好適には第３の噴射弁４０が作動接続される。これによって、燃料（例えばガソリンおよび／またはフレックス燃料またはＣＮＧ燃料またはＬＰＧ燃料）の噴射量の増大が得られる。さらに、内燃機関の全負荷段階で、好適には第２の噴射弁３０が作動接続される。これによって燃焼室が冷却されるので、内燃機関の効率が適切な形式で好適に高められ、アンチノック性が増大する。内燃機関の冷間始動段階および／または暖気運転段階で、好適には第３の噴射弁４０が作動接続される。これによって排出物削減が得られる。
【００２４】
図１に示した実施例の変化例によれば（この場合、この変化例は図示されていない）、内燃機関若しくは噴射装置１は、第１、第２および第３の噴射路６，７，８も有してはいるが、図１に示した実施例とは異なり、第１および第３の噴射弁２０，４０を介して同じ燃料が噴射されるのではなく、異なる燃料が噴射される。第１の噴射路は燃料を第１の噴射弁２０によってシリンダ５０の燃焼室内に直接噴射するために設けられている。第２の噴射路７は、水をシリンダ５０の吸気管５０′内に噴射するために設けられている。第３の噴射路８は、（第１の燃料とは異なる）別の燃料を吸気管内または別の吸気管内に噴射するために設けられている。本発明によれば、この記載された変化例において特に、（第１の噴射弁２０を介して噴射された）燃料がガソリン燃料および／またはフレックス燃料であって、（第２の噴射弁３０を介して噴射された）別の燃料がＣＮＧ燃料またはＬＰＧ燃料であるように設計されている。選択的に、このためにこの記載された変化例において特に、（第１の噴射弁２０を介して噴射された）燃料がＣＮＧ燃料またはＬＰＧ燃料であって、（第２の噴射弁３０を介して噴射された）別の燃料がガソリン燃料および／またはフレックス燃料であるように設計されている。
【００２５】
この記載された変化例によれば、内燃機関は第３の噴射弁４０を有している。第１の噴射弁２０は特に、燃料（例えばガソリンおよび／またはフレックス燃料）を燃焼室内に直接噴射するためのベース噴射弁である。第２の噴射弁３０は、吸気管内に水を噴射するためのサブ噴射弁である。第３の噴射弁４０は、別の燃料（例えば液化ガスまたは天然ガス）をシリンダ５０の吸気管内または別の吸気管内に噴射するためのベース噴射弁である。さらに、シリンダ５０は好適な形式で追加的に別の第２の噴射弁を有しており、この場合この別の第２の噴射弁は、水を吸気管内または別の吸気管内に噴射するための、特に第２の噴射弁を備えたツインインジェクタとしてのサブ噴射弁である。
【００２６】
図２には、本発明の例示的な第２実施例による、内燃機関用の噴射装置１が示されている。内燃機関は、燃料（例えばガソリンおよび／またはフレックス燃料）を燃焼室内に直接噴射するための第１の噴射路６と、水を吸気管内に噴射するための第２の噴射路７と、燃料（例えばガソリンおよびフレックス燃料）を吸気管内に噴射するための第３の噴射路８とを有している。第１の噴射路６および第３の噴射路８に、燃料ポンプ９によって燃料（例えばガソリンおよびフレックス燃料）が供給される。第２の噴射路７に、水ポンプ１０によって水が供給される。本発明によれば、第３の噴射路８が遮断弁１１によって第１の噴射路６から分離されるように設計されている。第１の噴射弁２は特に、燃料（例えばガソリンおよびフレックス燃料）を燃焼室内に直接噴射するためのメイン噴射弁である。第２の噴射弁３０は、水または燃料を吸気管内に噴射するためのサブ噴射弁である。
【００２７】
コントロールユニットは、内燃機関の負荷および内燃機関のその他の運転パラメータに依存して、第１の噴射弁２０の噴射量および第２の噴射弁３０の噴射量を制御する。それによって、遮断弁１１および水ポンプ１０の制御を介して、第２の噴射路７および第３の噴射路８の連動制御が可能である。従って、サブ噴射弁（第２の噴射弁３０）は、水または燃料を選択的に噴射するように設計されている。内燃機関の部分負荷段階において、好適な形式で第２の噴射弁３０が作動接続され、この際に、燃料が第２の噴射弁３０によって噴射される。これによって、微粒子排出物の低減が実現される。内燃機関の全負荷段階において、第１の噴射弁２０の運転に追加して、好適な形式で第２の噴射弁３０が作動接続され、この際に水が第２の噴射弁３０によって噴射される。これによって燃焼室が冷却されるので、内燃機関の効率は適切な形式で好適に高められ、アンチノック性が増大する。内燃機関の冷間始動段階および／または暖気運転段階で、好適には第２の噴射弁３０が燃料を噴射するために作動接続される。これによって排出物削減が得られる。
【００２８】
図３には、本発明の例示的な第３実施例による、内燃機関用の噴射装置１が示されている。図１に示された実施例に対応して、内燃機関若しくは噴射装置１は、シリンダ毎に、第１および第２の噴射弁２０，３０の他に第３の噴射弁４０を有しており、この場合、各シリンダ５０のそれぞれの第３の噴射弁４０は、図３ではやはり符号４１，４２，４３若しくは４４で示されていて、これらの符号４１乃至４４は符号４０でまとめられる。同様に、それぞれの第３の噴射弁４１，４２，４３，４４には本発明に従って特に第３の蓄圧器４０′が対応配設されており、この第３の蓄圧器４０′から、蓄えられた媒体（第３の燃料）がそれぞれの第３の噴射弁４１，４２，４３，４４に供給される。同様に、内燃機関若しくは噴射装置１は、第１の噴射弁２０によって燃料をシリンダ５０の燃焼室内に直接噴射するための第１の噴射路６を有している。さらに、内燃機関若しくは噴射装置１は、水若しくは別の燃料をシリンダ５０のそれぞれの吸気管５０′内に（第２の噴射弁３０によって）択一的に（選択的に）または組み合わせでも噴射するための第２の噴射路７、並びに第３の燃料をシリンダ５０の吸気管内またはシリンダ５０の別の吸気管内に（第３の噴射弁４０によって）直接噴射するための第３の噴射路８を有している。図３に示された実施例によれば、（第１の噴射弁２０を介して燃焼室内に直接噴射される）燃料としてガソリン燃料および／またはフレックス燃料またはＣＮＧ燃料またはＬＰＧ燃料またはアルコール燃料が設けられている。（第２の噴射弁３０によって噴射される）別の燃料として、エタノール燃料および／またはメタノール燃料が設けられている。（第３の噴射弁４０によって噴射される）第３の燃料として、ＣＮＧ燃料またはＬＰＧ燃料またはアルコール燃料（特に燃料としてガソリン燃料および／またはフレックス燃料が使用される場合）、またはガソリン燃料および／またはフレックス燃料（特に燃料としてＣＮＧ燃料またはＬＰＧ燃料またはアルコール燃料が用いられる場合）が設けられている。第１の噴射路６に、燃料ポンプ９によって燃料が供給される。第２の噴射路７に、水ポンプ１０によって水が供給されるかまたは別の燃料ポンプ１２によって別の燃料が供給される。第３の噴射路８に、第３の燃料ポンプ１３によって第３の燃料が供給される。
【００２９】
特に第１の噴射弁２０は、燃料を燃焼室内に直接噴射するためのメイン噴射弁である。第２の噴射弁３０は特に、選択的に水または別の燃料を吸気管内に噴射するためのサブ噴射弁である。第３の噴射弁４０は特に、第３の燃料を吸気管内または別の吸気管内に噴射するためのサブ噴射弁である。
【００３０】
コントロールユニットは、内燃機関の負荷および内燃機関のその他の運転パラメータに依存して、第１の噴射弁２０の噴射量、第２の噴射弁３０の噴射量および第３の噴射弁４０の噴射量を制御する。負荷および別の運転パラメータに依存して、第２の噴射弁３０によって水または別の燃料の選択的な噴射が行われる。さらに、運転パラメータに依存して、第３の燃料が第３の噴射弁４０を介して噴射される。
【００３１】
別の実施例によれば、第１の噴射弁２０は、燃料を燃焼室内に直接噴射するためのベース噴射弁である。第２の噴射弁３０は、水を吸気管内に噴射するためのサブ噴射弁である。第３の噴射弁４０は、燃料または別の燃料を吸気管内または別の吸気管内に噴射するためのベース噴射弁である。さらに、シリンダ５０は好適な形式で追加的に別の第２の噴射弁および／または別の第３の噴射弁を有しており、この場合、別の第３の噴射弁は、燃料または別の燃料を吸気管または別の吸気管内に噴射するための、特に第３の噴射弁を備えたツインインジェクタとしてのベース噴射弁であって、この場合、別の第２の噴射弁は、水を吸気管内または別の吸気管内に噴射するための、特に第２の噴射弁を備えたツインインジェクタとしてのサブ噴射弁である。
【符号の説明】
【００３２】
１  噴射装置
６  第１の噴射路
７  第２の噴射路
８  第３の噴射路
９  燃料ポンプ
１０  水ポンプ
１１  遮断弁
２０，２１，２２，２３  第１の噴射弁
２０′  第１の蓄圧器
３０，３１，３２，３３，３４  第２の噴射弁
３０′  第２の蓄圧器
４０，４１，４２，４３，４４  第３の噴射弁
５０  シリンダ
５０′  吸気管
５１，５２，５３，５４  吸気管
【図１】
0006577040.tif 000002
【図２】
0006577040.tif 000003
【図３】
0006577040.tif 000004